(57)【特許請求の範囲】
【請求項１】
撮像光学系と、この撮像光学系を介して入力された被写体像を光電変換する撮像素子と、該撮像素子の出力に基づいて被写体画像信号を得る撮像手段と、前記被写体画像信号を表示するための電子ファインダ手段とを具備する撮像装置であって、
立体撮影が可能なステレオ撮影モードと通常の単眼撮影を行うための通常撮影モードとを有し、前記通常撮影モード時には前記被写体画像信号を前記電子ファインダ手段への表示に使用し、前記ステレオ撮影モード時には、前記被写体画像信号に対して所定のトリミングを行うことで、前記被写体画像信号から１つの多眼式ステレオ画像の構成要素である複数のモノキュラ画像を抽出し、前記抽出後の複数のモノキュラ画像それぞれの画枠が一致するように前記抽出後の複数のモノキュラ画像を重ねた状態の重ねフレーム画像を前記電子ファインダ手段に表示するように構成されていることを特徴とする撮像装置。
【請求項２】
前記撮像素子の撮像領域の中に、１つの多眼式ステレオ画像の構成要素である複数のモノキュラ画像に対応した複数の撮影画枠を設定するステレオ撮像画枠設定手段と、前記複数の撮影画枠に対応して得られた複数のモノキュラ画像を用いて、所定のステレオ画像取扱いフォーマットに従った構造化ステレオ画像を生成するステレオ画像生成手段とをさらに具備し、
前記ステレオ撮影モード時には、前記ステレオ撮像画枠設定手段によって設定された複数の撮像画枠に対応する複数のモノキュラ画像を重ねた状態の重ねフレーム画像が前記電子ファインダ手段に表示されるように構成されていることを特徴とする請求項１項記載の撮像装置。
【請求項３】
撮像光学系と、この撮像光学系により結像された被写体像を光電変換する撮像素子と、該撮像素子の出力に基づいて被写体画像信号を得る撮像手段と、前記被写体画像信号を表示する表示手段と、前記被写体画像信号に対して所定のトリミングを行なうことで、前記撮像素子の撮像領域の中に、１つの多眼式ステレオ画像の構成要素である複数のモノキュラ画像に対応した複数の撮影画枠を設定するステレオ撮像画枠設定手段と、前記複数の撮影画枠に対応して得られた複数のモノキュラ画像を用いて、所定のステレオ画像取扱いフォーマットに従った構造化ステレオ画像を生成するステレオ画像生成手段とを具備する撮像装置であって、
前記複数の撮影画枠より１を選択的に使用して前記表示手段に表示する単フレーム表示モードと、前記複数の撮影画枠を並列位置した状態で前記表示手段に表示する構造化ステレオ画像表示モードと、前記複数の撮影画枠が一致するように前記複数の撮影画枠を重ねた状態の重ねフレーム画像を前記表示手段に表示する重ねフレーム表示モードとの間で、前記被写体画像信号を前記表示手段に表示するためのモードを切り換える手段を具備することを特徴とする撮像装置。
【請求項４】
前記複数のモノキュラ画像は２眼式ステレオ画像の構成要素であるＬおよびＲ画像であり、前記ステレオ画像生成手段が生成する構造化ステレオ画像は、前記ＬおよびＲ画像を左右に配置したステレオペア画像に対応するものであることを特徴とする請求項３記載の撮像装置。
【発明の詳細な説明】
【０００１】
【発明の属する技術分野】
本発明は立体画像を取り扱うことが可能な撮像装置に関し、特に多眼式ステレオ画像の撮像に好適な撮像装置に関する。
【０００２】
【従来の技術】
画像を立体的情報を含んで撮影記録し、これを再生観察する方式には多種多様な提案がある。その中でも、左右両眼の視点に対応する視差を持った２画像を記録し、これを左右両眼に対してそれぞれ提示するいわゆる２眼式ステレオ方式は、構成が最も簡単で安価な割に効果が大きいため、旧くから今日に至るまで利用されている。
【０００３】
この２眼式ステレオにおいても提示方式にはまた各種あり、例えば大画面による多人数同時観察を行なう場合には、偏光メガネを併用した偏光投影方式や、シャッタメガネを併用した時分割提示方式が使用されているが、これらはいずれも大がかりで高価なシステムを必要とするため特殊な業務用途以外には使用されることは少ない。そこでいわゆるパーソナルユースに対しては、同時には１人しか観察できないという制約はあるものの、最も基本的かつ古典的な方法であるステレオペア画像を用いる方式が、極めて安価にまた鮮明な画像を観察できる方式として、今日なお広く使用されている。
【０００４】
このステレオペア画像について詳述すれば、左眼視点対応画像であるＬ画像と右眼視点対応画像であるＲ画像とが、通常僅かな隙間を介して２枚並列に並べられて１つの画像を構成している。この種の画像の最も手軽な撮影装置として普及している３５ミリ１眼レフカメラ＋ステレオアダプタのシステム上の制約等のため、ＬＲ画像は実際には１つの標準横位置画像（横３：縦２）を縦に２分割した形で構成されており、従って各画像すなわち観察される立体画像は縦位置（横縦比約３：４程度）になっているのが一般的である。
【０００５】
本明細書に於いては、このようにＬＲの２画像が空間的に（画像平面上に）併置されて１つの画像を構成しているものをステレオペア画像と称する。なお、上記した具体的な構成（数値等）は一例に過ぎないが、説明を簡明にするために、特記しない場合は上記具体例のものが例として取り上げられていることを前提に説明する。
【０００６】
このステレオペア画像は、
（１）記録、印画、伝送、印刷等に際して何らの特殊なシステムを要しない。
（２）適切な条件を満たせば直接立体観察できる。即ち、左右像の融合が何らの装置を用いることなくできる。
という極めて優れた特長を有している。
【０００７】
特に（２）に関して詳述すれば、ＬＲ画像が正しく左右眼によって捉えられ、２つの異なる画像では無く一つの立体画像として認識される状態を左右像の融合と称するが、例えば適当な大きさ（具体的には横幅が眼幅の２倍よりやや小さい程度＝１０〜１３ｃｍ）に印画された「平行配置」（Ｌを左、Ｒを右に配置）のものであれば、観察に際しても視線を平行に向けるいわゆる「平行法」（人によっては若干の練習を要するが）を用いることで融合可能である。またこれとは左右の画像を入れ替えた「交差配置」も使用され、こちらは印画サイズの制約が無く、視線を交差させる「交差法」によってやはり直接立体視観察できるが、観察時の眼の疲労と立体観察時の不自然さ（箱庭現象）がやや大きいため、上記平行配置の方がより普及しているものである。
【０００８】
いずれにせよこのように（１）システムを選ばず（２）直接観察も可能であるという２つの大きな特長をもつステレオペア画像は、特にインターネットやデジタルカメラの普及などいわゆるメディアミックス化が進めば進むほどその不朽の価値が見直され、利用され続けるものと予想される。
【０００９】
そこで、本出願人は先にステレオアダプタを通常の単眼撮像光学系に装着し、これによって得られる複数の視差画像を元に電子的なステレオペア画像たるＳＰＭ（Stereo Pear in Multimedia）を生成し、これを所定フォーマットの電子画像ファイルＳＧＭ（Stereo Gram in Multimedia）として記録する撮像装置を提案している（特願２０００−２５９４８９号）。
【００１０】
【発明が解決しようとする課題】
ところで、通常の単眼カメラの撮像系に外付けのステレオアダプタを追加した場合には、ステレオアダプタの光学系を理想的に設定した場合であっても、ＬＲ画像のオーバーラップやケラレなどの不具合現象が生じる。この現象はカメラ側の絞りの値にも依存し、例えば、図７（ａ）のようにＦ値が小さい（開放側の）場合はＬＲ画像のオーバーラップが大きくなり、また図７（ｂ）のようにＦ値が大きい（絞り込み側の）場合はＬＲ画像間に生じる暗黒のケラレ領域が大きくなる、という現象が生じる。ここでケラレ領域とは一般の光学系でのケラレと同義であり、ここではステレオアダプタによって十分な光が到達しない領域を意味することになる。オーバーラップやケラレはＬＲ画像の境界部のみならず、ステレオアダプタの光学系の特性等によっては撮像画枠の周囲部にも生じる現象である。
【００１１】
上記先願の撮像装置では、画像ケラレやオーバーラップの問題に対して、撮像画像信号に対して適当な領域トリミングを行なうことによって高画質なステレオ画像の記録を実現している。しかし、このようにしてもなお、ステレオペア画像の撮像に際しては実際には難しい問題が残っている。これは、ファインダによる構図の問題である。
【００１２】
すなわち、ファインダから観察される像は撮影光学系から入力されたものとなるため、ステレオアダプタを用いた場合にはファインダから実際に観察される像もＬＲ画像となり、ＬとＲの両画像が並んで観察されることになる。このため、その観察されるＬとＲのどちらの像に注目してフレーミングすべきであるかの把握が難しく、これは特に上述のケラレやオーバーラップが生じている場合に顕著となる。
【００１３】
さらに、上記先願の撮像装置のようにトリミングによって記録用のステレオ画像を生成する技術を用いた場合には、実際に取り出される画像は領域トリミングによって切り出された部分画像となるが、ファインダ上ではそのトリミングの位置つまり実際の撮像画角を確認することができない。特に、上記撮像装置では、標準横位置画像を縦に２分割した縦位置のＬＲ画像のみならず、トリミングの画枠設定を替えることで横位置のＬＲ画像も生成できるので、どの部分が実際にステレオ画像として撮影されるかの確認も難しくなる。
【００１４】
本発明は上記事情を考慮してなされたもので、その目的とするところは、ステレオペア画像の撮像に適した画像を表示できるようにし、立体撮影を極めて容易に実現することが可能な撮像装置を提供することにある。
【００１５】
【課題を解決するための手段】
上述の課題を解決するため、本発明は、撮像光学系と、この撮像光学系を介して入力された被写体像を光電変換する撮像素子と、該撮像素子の出力に基づいて被写体画像信号を得る撮像手段と、前記被写体画像信号を表示するための電子ファインダ手段とを具備する撮像装置であって、立体撮影が可能なステレオ撮影モードと通常の単眼撮影を行うための通常撮影モードとを有し、前記通常撮影モード時には前記被写体画像信号を前記電子ファインダ手段への表示に使用し、前記ステレオ撮影モード時には、前記被写体画像信号に対して所定のトリミングを行うことで、前記被写体画像信号から１つの多眼式ステレオ画像の構成要素である複数のモノキュラ画像を抽出し、前記抽出後の複数のモノキュラ画像それぞれの画枠が一致するように前記抽出後の複数のモノキュラ画像を重ねた状態の重ねフレーム画像を前記電子ファインダ手段に表示するように構成されていることを特徴とする。
【００１６】
この撮像装置によれば、通常撮影モード時とステレオ撮影モード時とでファインダ表示が切り替えられ、通常撮影モード時には通常通り被写体画像信号がそのまま電子ファインダ手段への表示に使用されるが、ステレオ撮影モード時には、トリミングによって被写体画像信号から抽出された複数のモノキュラ画像それぞれの画枠が一致するように前記抽出後の複数のモノキュラ画像を重ねた状態の重ねフレーム画像が電子ファインダ手段への表示に使用される。このようにトリミングによって得られた抽出後のモノキュラ画像を重ねた状態の重ねフレーム画像をファインダ表示に利用することにより、ケラレやオーバーラップ領域を除いた状態の画像をファインダに表示することができるとともに、複数のモノキュラ画像の融合状態を確認しながら撮影を行うことが可能となり、立体撮影を極めて容易に実現することが可能となる。
【００１９】
また、撮像素子の撮像領域の中に、１つの多眼式ステレオ画像の構成要素である複数のモノキュラ画像に対応した複数の撮影画枠を設定するステレオ撮像画枠設定手段と、前記複数の撮影画枠に対応して得られた複数のモノキュラ画像を用いて、所定のステレオ画像取扱いフォーマットに従った構造化ステレオ画像を生成するステレオ画像生成手段とをさらに具備し、前記ステレオ撮影モード時には、前記ステレオ撮像画枠設定手段によって設定された複数の撮像画枠に対応する複数のモノキュラ画像を重ねた状態の重ねフレーム画像を前記電子ファインダ手段に表示するように構成することが望ましい。
【００２０】
これにより、画像ケラレやオーバーラップの問題を回避して高画質なステレオ画像を生成できると共に、最終的なステレオ画像とファインダに表示される画像との間で画枠を合わせることが可能となる。よって、どの部分が実際にステレオ画像として撮影されるかを確認しながら立体撮影を行うことが可能となる。
【００２１】
また、本発明は、撮像光学系と、この撮像光学系により結像された被写体像を光電変換する撮像素子と、該撮像素子の出力に基づいて被写体画像信号を得る撮像手段と、前記被写体画像信号を表示する表示手段と、前記被写体画像信号に対して所定のトリミングを行なうことで、前記撮像素子の撮像領域の中に、１つの多眼式ステレオ画像の構成要素である複数のモノキュラ画像に対応した複数の撮影画枠を設定するステレオ撮像画枠設定手段と、前記複数の撮影画枠に対応して得られた複数のモノキュラ画像を用いて、所定のステレオ画像取扱いフォーマットに従った構造化ステレオ画像を生成するステレオ画像生成手段とを具備する撮像装置であって、１）前記複数の撮影画枠より１を選択的に使用して前記表示手段に表示する単フレーム表示モードと、２）前記複数の撮影画枠を並列位置した状態で前記表示手段に表示する構造化ステレオ画像表示モードと、３）前記複数の撮影画枠が一致するように前記複数の撮影画枠を重ねた状態の重ねフレーム画像を前記表示手段に表示する重ねフレーム表示モードとの間で、前記被写体画像信号を前記表示手段に表示するためのモードを切り換える手段を具備することを特徴とする。
１）のモードではステレオペア画像の撮像時にはＬとＲのどちらか１画像のみを表示できるので、ファインダによる構図の設定を通常撮影の場合と同様に行うことが可能となり、極めて有効となる。また２）のモードでは実際に生成されるステレオペア画像と同様の画像をファインダで確認しながら撮影を行うことができる。さらに３）のモードではＬＲ画像の融合状態を確認しながら撮影を行うことが可能となる。
【００２２】
この構成においても、画像ケラレやオーバーラップの問題を回避して高画質なステレオ画像を生成できると共に、最終的なステレオ画像と表示画像との間で画枠を合わせることができるので、トリミング位置を確認しながら極めて容易に立体撮影を行うことが可能となる。
【００２３】
【発明の実施の形態】
以下、図面を参照して本発明の実施形態を説明する。
図１は、本発明の一実施形態に係わる電子カメラの回路構成を示すブロック図である。
【００２４】
図中１０１は各種レンズからなる撮像レンズ系、１０２はレンズ系１０１を駆動するためのレンズ駆動機構、１０３はレンズ系１０１の絞り及びシャッタ装置を制御するための露出制御機構、１０４はローパス及び赤外カット用のフィルタ、１０５は被写体像を光電変換するためのＣＣＤカラー撮像素子、１０６は撮像素子１０５を駆動するためのＣＣＤドライバ、１０７はＡ／Ｄ変換器等を含むプリプロセス回路、１０８は色信号生成処理，マトリックス変換処理，その他各種のデジタル処理を行うためのデジタルプロセス回路、１０９はカードインターフェース、１１０はメモリカード、１１１はＬＣＤ画像表示系を示している。
【００２５】
また、図中の１１２は各部を統括的に制御するためのシステムコントローラ（ＣＰＵ）、１１３は各種ＳＷからなる操作スイッチ系、１１４は操作状態及びモード状態等を表示するための操作表示系、１１５はレンズ駆動機構１０２を制御するためのレンズドライバ、１１６は発光手段としてのストロボ、１１７は露出制御機構１０３及びストロボ１１６を制御するための露出制御ドライバ、１１８は各種設定情報等を記憶するための不揮発性メモリ（ＥＥＰＲＯＭ）を示している。
【００２６】
本実施形態の電子カメラにおいては、システムコントローラ１１２が全ての制御を統括的に行っており、露出制御機構１０３とＣＣＤドライバ１０６によるＣＣＤ撮像素子１０５の駆動を制御して露光（電荷蓄積）及び信号の読み出しを行い、それをプリプロセス回路１０７を介してデジタルプロセス回路１０８に取込んで、各種信号処理を施した後にカードインターフェース１０９を介してメモリカード１１０に記録するようになっている。
【００２７】
ここまでの基本的な構成は従来一般的な電子カメラと同様であるが、本実施形態ではこれに加えて、操作スイッチ系１１３には、立体撮影が可能なステレオ撮影モードと通常の単眼撮影を行うための通常撮影モードを切り替えるためのモード切り替えスイッチが設けられている。また、システムコントローラ１１２には、撮像エリアのトリミング領域を設定するための画枠設定部１１２ａ、モノキュラ画像からＳＰＭ画像を合成して得るためのＳＰＭ合成部１１２ｂ、ＳＰＭ画像からＳＧＭ画像データを生成するためのＳＧＭ生成部１１２ｃが設けられている。
【００２８】
さらに、本実施形態では、システムコントローラ１１２には、電子ファインダ（ＥＶＦ）として使用されるＬＣＤ画像表示系１１１への画像表示を通常撮影モードとステレオ撮影モードとで切り換える機能を持つＥＶＦ表示制御部１１２ｄが設けられている。このＥＶＦ表示制御部１１２ｄは、通常撮影モード時には通常通り被写体画像信号をそのままＬＣＤ画像表示系１１１への表示に使用するが、ステレオ撮影モード時には、トリミング領域から切り出したモノキュラ画像をＬＣＤ画像表示系１１１への表示に使用する。トリミング処理はデジタルプロセス回路１０８によるデジタル演算処理により実行され、データバッファ１０８ａ上の撮像画像信号に対してトリミング処理を行うことによって得られた表示用の画像信号が表示メモリ１０８ｂに書き込まれ、それがＬＣＤ画像表示系１１１へに表示される。
【００２９】
本実施形態の電子カメラにおいては、図２に示すように、カメラ本体１００のレンズ鏡筒にミラー式ステレオアダプタ２００が着脱可能となっている。このアダプタ２００は、視差程度離れた位置にミラー２０１，２０２をそれぞれ配置し、更にこれらのミラー２０１，２０２で反射した光をカメラ側に導くためのミラー２０３，２０４を配置して構成される。アダプタ２００の左眼視用ミラー２０１に入射した光はミラー２０３及び撮影レンズ１０１を介して撮像素子１０５の領域Ｌに結像され、右眼視用ミラー２０２に入射した光はミラー２０４及び撮影レンズ１０１を介して撮像素子１０５の領域Ｒに結像されるようになっている。
【００３０】
なお、通常撮影モードとステレオ撮影モードの切り替えは前記したモード切り替えスイッチで行われるが、ミラー式ステレオアダプタ２００を取り付けているか否かに応じて自動的に切り替えるようにしてもよい。
【００３１】
ステレオ撮影モードでは、ステレオアダプタ２００を取り付けた状態でシャッタートリガー操作を行うことにより、ＣＣＤ撮像素子１０５の露光および信号読み出しが通常撮影モードの場合と同様にして行われる。これにより、ＣＣＤ撮像素子１０５の撮像エリアの全領域から画像信号が読み出されるが、ステレオ撮影モードでは、この画像信号に対して以下の処理を行う。
【００３２】
まず、システムコントローラ１１２に含まれる画枠設定部１１２ａによって撮像画枠の設定が行われ、その撮像画枠からモノキュラ画像を切り出すためのトリミング処理がデジタルプロセス回路１０８において行われる。即ち、図３に示すように、画面を縦に２分割し、左半分をＬ画像、右半分をＲ画像と割り当てる（１００％トリミング）。なお、１００％トリミングで使用することも可能であるが、本実施形態ではオーバーラップやケラレが画像に出るのを防ぐために横幅を９０％に制限し、更に（必須ではないが）縦横バランスを整えるために縦幅も同率でトリミングしたものをそれぞれＬ，Ｒ画像に割り当てる。このような画枠設定により撮像画角自体は小さく制限されることになるものの、アダプタ２００のミラーに対して中央付近に位置する比較的良好な画像を抽出して利用することが可能となる。
【００３３】
なお、例えば縦幅の制限率を横幅よりも大きく設定することで、図３のような縦位置のＬＲ画像のみならず、横位置のＬＲ画像に対応する画枠設定を行うこともできる。
【００３４】
次いで、システムコントローラ１１２に含まれるＳＰＭ合成部１１２ｂの制御の下、デジタルプロセス回路１０８においてＳＰＭ画像が生成される。即ち、上記のトリミングにより得られたＬ，Ｒ画像は、図４に示すように合成され、２つの画像が左右に隙間無く並列配置された１つの画像（ＳＰＭ画像）となる。このとき、境界領域に或いはさらにＳＰＭ画像の周囲に１〜数画素幅の枠線（例えばＲ＝Ｇ＝Ｂ＝０の黒）を配して、ＳＰＭ画像であることが視覚的にも明確となるようにすることも好適な変形例である。
【００３５】
そして、ＳＰＭ画像は、システムコントローラ１１２に含まれるＳＧＭ（Stereo Gram in Multimedia）生成部１１２ｃによって、ステレオデータがヘッダ部として付加されたＪＰＥＧ画像データに生成される。即ち、記録や伝送に際して画像情報を圧縮しておくことが好適であり、その際任意の方法を用いることが可能であるが、最も標準的な公知のＪＰＥＧ圧縮を用いる。その際、例えばヘッダ部のユーザー情報領域の所定のタグにステレオデータを割り当てる。記録する情報は、
ａ：ステレオであるか否か（デフォルト：Ｙ）
ｂ：ステレオの場合の画像枚数（デフォルト：２）
ｃ：各モノキュラ画像の配置（縦横画素数を含む存在領域）
が基本情報となる。
【００３６】
これらの情報があれば、自身或いは他の装置はこの情報を読み取ることによって、元の各モノキュラ画像を分離、再現することができる（画像を伸張した後に数，配置情報に従って各画像を切り出せばよい）。このようなＳＧＭは、１つのステレオ画像の全画像データと、画像データ以外に必要なステレオデータとを１ファイル、即ち取り扱い単位としたものであるから、（狭義の）構造化ステレオ画像の一例である。一般の、例えば汎用ＰＣでの使用やインターネット上での伝送に際しての不可分な取り扱い単位であるから、このうちの一部だけが誤って記録，伝送，消去されるような不具合は生じない。
【００３７】
但し、本発明においては、構造化ステレオ画像としては広義のものを対象とする。従って、上記例以外にも、画像データが複数ファイルに分かれているような形でＳＧＭを構成してもよい。即ち、ＳＧＭの形式に拘わらず、小型軽量化やアダプタ使用時の不具合回避などの効果が同様に得られることは自明である。なお、このような複数ファイル形式のＳＧＭを構成するためには、上記トリミング（１つの撮像画枠からのＬ、Ｒ各画像の切り出し）が不可欠となる。
【００３８】
生成されたＳＧＭは、システムコントローラ１１２の指示により働くデジタルプロセス回路１０８内の記録手段でカードインターフェース１０９を介してメモリカード１１０に記録される。
【００３９】
なお、ＳＧＭが記録されたカードは、例えば汎用ＰＣ等のスロット等に差し替えて使用される。カメラ本体は他に入出力ポートを持っており、有線又は無線接続により、生成されたＳＧＭを入出力可能である。また、カード（カードインターフェース）経由で、ＳＧＭを入出力することも可能である。
【００４０】
このような本撮像動作に先立ち、ＥＶＦ表示のための動画像信号を得るため、ＣＣＤ撮像素子１０５からは画像信号が連続的に読み出される。ステレオ撮影モードにおいては、この画像信号に対してＥＶＦ表示制御部１１２ｄの制御により、上述と同様のトリミング処理さらには必要に応じてＳＰＭ合成処理が行われた後にＬＣＤ画像表示系１１１への表示が行われる。ＥＶＦ表示のために行われるトリミング処理およびＳＰＭ合成処理は、扱う画像の解像度の違い等を除けば本撮像時に行われるトリミング処理およびＳＰＭ合成処理と同じであり、それぞれ画枠設定部１１２ａおよびＳＰＭ合成部１１２ｂによって行うことができる。
【００４１】
ＥＶＦ表示には以下の４つの表示モードがある。
１）撮像領域全体の画像信号をそのまま使用する非ステレオ表示モード
２）トリミングされたＬまたはＲのいずれか１つのモノキュラ画像のみを１画像として表示する単フレーム表示モード
３）トリミングされたＬおよびＲのモノキュラ画像同士を左右に並べて合成することによって得られたＳＰＭを表示するＳＰＭ表示モード
４）トリミングされたＬおよびＲのモノキュラ画像同士を重ね合わせて表示する重ねフレームモード
通常撮影モードでは「非ステレオ表示モード」が使用され、またステレオ撮影モードでは「単フレーム表示モード」、「ＳＰＭ表示モード」、「重ねフレームモード」のいずれかが選択的に利用できる。これら表示モードそれぞれで表示される表示画像を図５、図６に示す。
【００４２】
図５は縦位置のＬＲ画像に対応する画枠設定を行った場合における表示画像の例を示しており、また図６は横位置のＬＲ画像に対応する画枠設定を行った場合における表示画像の例を示している。
【００４３】
図５（ａ），図６（ａ）は「非ステレオ表示モード」を使用した場合であり、トリミング処理を行う前の画像、つまりステレオアダプタ２００によって得られる、ケラレ（またはオーバーラップ領域）を含むＬＲ画像全体がファインダ像として表示される。
【００４４】
図５（ｂ），図６（ｂ）は「単フレーム表示モード」を使用した場合であり、トリミングによって切り出された１つのモノキュラ画像（ここではＬ画像）のみがファインダ像として表示され、ケラレ領域やオーバーラップ領域は表示されない。この表示モードではステレオアダプタ２００を用いたステレオ撮像でありながら、通常の単眼撮像と同様の画像を表示できるので、ファインダによる構図の設定を通常撮影モードの場合と同様に行うことが可能となる。しかも、表示されるのはケラレ領域やオーバーラップ領域をトリミングによって除外した後の画像であり、観察される画角がＳＧＭとして実際に生成・記録される各モノキュラ画像と等しくなるので、ファインダ像を見ながら極めて容易に構図を決めることができる。
【００４５】
ＬとＲのどちらの画像を表示するかはスイッチ操作などによって切り替えることができる。この場合、図示のように、現在表示されている画像がＬ画像であるかＲ画像であるかを示す文字やマークなどの識別情報を一緒に画面表示することが望ましい。なお、ＥＶＦ表示時には、表示に使用するＬまたはＲの一方のみをトリミングすればよい。
【００４６】
図５（ｃ），図６（ｃ）は「ＳＰＭ表示モード」を使用した場合であり、ＳＰＭ合成によって左右に隙間無く並列配置されたＬＲ画像がファインダ像として表示される。この場合にも、ケラレ領域やオーバーラップ領域は表示されない。本撮像で得られる最終的なＳＭＰ画像を予め確認しながら立体撮像を行うことが可能となる。
【００４７】
図５（ｄ），図６（ｄ）は「重ねフレーム表示モード」を使用した場合であり、トリミングによって切り出されたＬＲ画像それぞれの画枠が一致するように両画像が重ね合わされた状態で画面表示される。この表示画像は、例えば、画素毎にＬ画像とＲ画像の平均値を算出すること等によって得ることができる。（２画像の平均値として得られる画像は、１回の露光量を標準の１／２にして撮影した２重露光画像と等価であるから。）
ステレオ撮影モードにおけるデフォルトのＥＶＦ表示モードを例えば「単フレーム表示モード」に設定しておき、スイッチ操作などによって必要に応じて「ＳＰＭ表示モード」、「重ねフレーム表示モード」に切り換え可能に構成しておくことにより、状況に応じて様々な角度からフレーミングの調整を行うことが可能となる。
【００４８】
このように本実施形態によれば、１つの撮像素子１０５の撮像エリア上に複数のモノキュラ画枠を設定し、これから得た複数のモノキュラ画像によりステレオ画像を得るようにしているので、アダプタ方式特有のオーバーラップやケラレなどの不具合を回避することができる。特に、モノキュラ画枠によるトリミングをＥＶＦ表示にも利用しているので、オーバーラップやケラレを除いた状態で構図の設定を行うことが可能となると共に、最終的に生成されるＳＰＭ画像のトリミング位置を確認することが可能となる。
【００４９】
なお、本発明は上述した実施形態に限定されるものではない。上述の実施形態においては、ＳＰＭやＳＧＭ等は静止画の場合を例示したが、これに限られることなく、ＥＶＦ表示における信号処理の説明からも明らかなように動画によるＳＰＭ、ＳＧＭにも全く同様に適用可能である。即ち、上記ＳＰＭ合成のやり方、ＳＧＭ生成に際して付加するステレオデータに関しては、静止画動画の別によらない要素しか含まれていないから、従来の動画撮像技術をそのまま使用し、例えば代表的な動画圧縮フォーマットの１つであるＭＰＥＧを上記ＪＰＥＧに代えて用いることによって、全く同様に実施して効果を得ることができるものである。
【００５０】
また、本実施形態で使用したステレオアダプタは平面鏡を組み合わせたミラー式アダプタであったが、これに替えて任意の形式のアダプタを使用可能であり、例えばカメラの視野方向（視線）を偏向させる楔形プリズムを対向させて左右に配置したプリズム式ステレオアダプタの使用も好適な一例である。
【００５１】
また、本実施形態では撮像エリアに２つの画枠を設定したが、例えば、公知のレンチキュラー方式（レンチキュラーシートプリントやレンチキュラースクリーンを用いたマルチプロジェクション方式など）に用いられる一般の多眼式立体画像を得るべく、３眼以上のステレオアダプタとこれに対応した３つ以上の画枠設定を使用しても良い。さらに、ファインダ像の表示時のみならず、例えばメモリカードに記録されている通常のＬＲ画像に対してモノキュラ画枠の設定を行って、上述の「単フレーム表示モード」、「ＳＰＭ表示モード」、「重ねフレームモード」のいずれかでＬＣＤ画像表示系１１１に再生表示することも可能である。
【００５２】
また、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果の少なくとも１つが得られる場合には、この構成要件が削除された構成が発明として抽出され得る。
【００５３】
【発明の効果】
以上説明したように、本発明によれば、複数のモノキュラ画像の融合状態を確認しながら撮影を行うことができ、立体撮影を極めて容易に実現することが可能となる。
【図面の簡単な説明】
【図１】本発明の一実施形態に係わる電子カメラの構成を示すブロック図。
【図２】同実施形態の電子カメラに装着するミラー式ステレオアダプタの構成を示す図。
【図３】同実施形態において撮像エリアに設定される画枠を示す図。
【図４】同実施形態においてＬ，Ｒ画像を合成してＳＰＭ画像を生成し、更にＳＧＭを生成する様子を示す図。
【図５】同実施形態におけるＥＶＦ表示モードを説明するための図。
【図６】同実施形態におけるＥＶＦ表示モードを説明するための図。
【図７】従来の問題点であるアダプタ方式特有のオーバーラップとケラレを示す図。
【符号の説明】
１００…カメラ本体
１０１…レンズ系
１０２…レンズ駆動機構
１０３…露出制御機構
１０４…フィルタ系
１０５…ＣＣＤカラー撮像素子
１０６…ＣＣＤドライバ
１０７…プリプロセス部
１０８…デジタルプロセス部
１０９…カードインターフェース
１１０…メモリカード
１１１…ＬＣＤ画像表示系
１１２…システムコントローラ（ＣＰＵ）
１１２ａ…画枠設定部
１１２ｂ…ＳＰＭ合成部
１１２ｃ…ＳＧＭ生成部
１１２ｄ…ＥＶＦ表示制御部
２００…ミラー式ステレオアダプタ
２０１〜２０４…ミラー
【図１】
0004512276.tif 000002
【図２】
0004512276.tif 000003
【図３】
0004512276.tif 000004
【図４】
0004512276.tif 000005
【図５】
0004512276.tif 000006
【図６】
0004512276.tif 000007
【図７】
0004512276.tif 000008